(57)【要約】【課題】  本発明は一方の建物の目地部側の天井部位に梁が設けられていても、容易に損傷することなく設置することができるとともに、目地カバー支持手段を他方の建物側にだけ設置できるようにして、設置作業が容易で、簡単に行なうことができる天井用目地カバー装置を得るにある。【解決手段】  目地部側の天井部位に梁が設けられた一方の躯体の、該梁より目地部側へ突出するように天井躯体に固定され、かつ先端部の下部より上部が突出する傾斜面を有する固定天井部材と、この固定天井部材の先端部と先端部が当接するように目地部側の他方の躯体の天井部位側の外壁躯体に先端部が下方へ回動可能に後端部が取付けられた目地カバーと、この目地カバーを常時水平状態に保持し、目地部が狭くなるような地震の揺れ動き時には、先端部を下方へ回動させることができる他方の天井部位側の外壁躯体に取付けられた目地カバー支持手段とで天井用目地カバー装置を構成している。【選択図】  図２
2010285815.tif 000002
【特許請求の範囲】
【請求項１】
目地部側の天井部位に梁が設けられた一方の躯体の、該梁より目地部側へ突出するように天井躯体に固定され、かつ先端部の下部より上部が突出する傾斜面を有する固定天井部材と、この固定天井部材の先端部と先端部が当接するように目地部側の他方の躯体の天井部位側の外壁躯体に先端部が下方へ回動可能に後端部が取付けられた目地カバーと、この目地カバーを常時水平状態に保持し、目地部が狭くなるような地震の揺れ動き時には、先端部を下方へ回動させることができる他方の天井部位側の外壁躯体に取付けられた目地カバー支持手段とからなることを特徴とする天井用目地カバー装置。
【請求項２】
目地カバーの後端部は他方の躯体の天井部位側の外壁躯体に固定状態、あるいは前後方向にスライド移動可能に取付けられていることを特徴とする請求項１記載の天井用目地カバー装置。
【請求項３】
目地カバー支持手段は目地カバーの先端部を下方へ回動できるように上方へ持ち上げるスプリング、あるいは重りを用いた目地カバー吊り上げ手段と、前記目地カバーが水平状態より上方へ回動するのを阻止するストッパとで構成されていることを特徴とする請求項１記載の天井用目地カバー装置。
【発明の詳細な説明】
【技術分野】
【０００１】
本発明は目地部を介して設けられた左右の建物間の天井目地部を覆う天井用目地カバー装置に関する。
【背景技術】
【０００２】
従来、目地部を介して設けられた一方の建物の目地部側の天井部位に固定された固定天井部材と、他方の建物の目地部側の天井部位の外壁躯体に取付けられた先端部が、前記固定天井部材の先端部と当接する目地カバーと、目地部が狭くなるように地震で揺れ動くと、前記目地カバーの先端部を上方へ回動させて、その揺れ動きを吸収する目地カバー押し上げ機構とで天井用目地カバー装置を構成していた。
【０００３】
しかしながら、一方の建物の目地部側の天井部位に梁が設けられている場合、上方へ回動した目地カバーの先端部が梁と衝突して損傷するという欠点があった。
【０００４】
また、目地カバーを目地部が狭くなるように地震で揺れ動いた場合に、先端部を上方へ回動させる目地カバー押し上げ機構が、一方の建物と他方の建物の天井躯体に取付けているため、その作業が大変で、取付け作業に手数がかかるという欠点があった。
【先行技術文献】
【特許文献】
【０００５】
【特許文献１】特開２００５−１４６６９６
【特許文献２】特開２００２−３３９４６５
【発明の概要】
【発明が解決しようとする課題】
【０００６】
本発明は以上のような従来の欠点に鑑み、一方の建物の目地部側の天井部位に梁が設けられていても、容易に損傷することなく設置することができるとともに、目地カバー支持手段を他方の建物側にだけ設置できるようにして、設置作業が容易で、簡単に行なうことができる天井用目地カバー装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明は目地部側の天井部位に梁が設けられた一方の躯体の、該梁より目地部側へ突出するように天井躯体に固定され、かつ先端部の下部より上部が突出する傾斜面を有する固定天井部材と、この固定天井部材の先端部と先端部が当接するように目地部側の他方の躯体の天井部位側の外壁躯体に先端部が下方へ回動可能に後端部が取付けられた目地カバーと、この目地カバーを常時水平状態に保持し、目地部が狭くなるような地震の揺れ動き時には、先端部を下方へ回動させることができる他方の天井部位側の外壁躯体に取付けられた目地カバー支持手段とで天井用目地カバー装置を構成している。
【発明の効果】
【００１０】
以上の説明から明らかなように、本発明にあっては次に列挙する効果が得られる。
（１）目地部側の天井部位に梁が設けられた一方の躯体の、該梁より目地部側へ突出するように天井躯体に固定され、かつ先端部の下部より上部が突出する傾斜面を有する固定天井部材と、この固定天井部材の先端部と先端部が当接するように目地部側の他方の躯体の天井部位側の外壁躯体に先端部が下方へ回動可能に後端部が取付けられた目地カバーと、この目地カバーを常時水平状態に保持し、目地部が狭くなるような地震の揺れ動き時には、先端部を下方へ回動させることができる他方の天井部位側の外壁躯体に取付けられた目地カバー支持手段とで構成されているので、一方の建物の目地部側の天井部位に梁が設けられていても、目地カバーの先端部を目地部が狭くなる地震の揺れ動き時に、固定天井部材の下方へ回動させて梁に衝突するのを防止できる。
したがって、一方の建物の目地部側の天井部位に梁が設けられていても、地震時に損傷することなく設置することができる。
（２）前記（１） によって、常時は水平状態に保持し、目地部が狭くなると先端部が下方へ回動させる目地カバー支持手段を、他方の天井部位の外壁躯体に取付けているので、従来のように一方の建物と他方の建物の両方の躯体に目地カバー支持手段を設けるものに比べ、設置が容易で、その作業も簡単に行なうことができる。
（３）前記（１）により、構造が簡単で、容易に設置することができる。
（４）請求項２も前記（１）〜（３）と同様な効果が得られるとともに、目地カバーの後端部を前後方向にスライド移動可能に他方の躯体の天井部位側の外壁躯体に設けることにより、左右の建物の異なる前後方向の揺れ動きも、損傷なく吸収することができる。
（５）請求項３も前記（１） 〜（３）と同様な効果が得られるとともに、目地カバー支持手段のストッパーによって、目地カバーの先端部が固定天井部材の上部に位置するのを効率よく阻止することができる。
【図面の簡単な説明】
【００１１】
【図１】本発明を実施するための第１の形態の概略平面図。
【図２】図１の２−２線に沿う断面図。
【図３】図１の３−３線に沿う断面図。
【図４】本発明を実施するための第１の形態の概略底面図。
【図５】本発明を実施するための第１の形態の目地部が狭くなる動作説明図。
【図６】本発明を実施するための第１の形態の目地部が広くなる動作説明図。
【図７】本発明を実施するための第２の形態の概略平面図。
【図８】図７の８−８線に沿う断面図。
【図９】本発明を実施するための第２の形態の要部拡大説明図。
【図１０】本発明を実施するための第３の形態の概略平面図。
【図１１】図１０の１１−１１線に沿う断面図。
【図１２】本発明を実施するための第３の形態の要部拡大説明図。
【図１３】本発明を実施するための第４の形態の概略平面図。
【図１４】図１３の１４−１４線に沿う断面図。
【図１５】本発明を実施するための第４の形態の要部拡大説明図。
【発明を実施するための形態】
【００１２】
以下、図面に示す本発明を実施するための形態により、本発明を詳細に説明する。
【００１３】
図１ないし図６に示す本発明を実施するための第１の形態において、１は目地部２を介して設けられた左右の建物３、３の目地部の天井部分を覆う本発明の天井用目地カバー装置で、この天井用目地カバー装置１は前記目地部２側の天井部位に梁４が設けられた一方の躯体３ａの、該梁４より目地部２側へ突出するように天井躯体５あるいは前記梁４に固定され、かつ先端部の下部より上部が突出する傾斜面６を有する固定天井部材７と、この固定天井部材７の先端部と先端部が面接触可能に当接するように傾斜面８に形成され、かつ目地部２側の他方の躯体３ａの天井部側の外壁躯体９に先端部が下方へ回動可能に後端部が取付けられた目地カバー１０と、この目地カバー１０を常時水平状態に保持し、目地部が狭くなるような地震の揺れ動き時には、先端部を下方へ回動させることができる、他方の天井部位側の外壁躯体９に取付けられた目地カバー支持手段１１とで構成されている。
【００１４】
前記目地カバー１０は先端部が傾斜面８に形成された目地カバー本体１２と、この目地カバー本体１２の後端部を他方の躯体３ａの天井部側の外壁躯体９に固定するヒンジ部材１３とで構成されている。
【００１５】
前記目地カバー支持手段１１は前記目地カバー１０の上部位置の他方の躯体３ａの外壁躯体９に後端部が固定された先端部が前記目地部２の中央部側へ突出する複数個のアーム１４と、これらのアーム１４の先端部に一端部がそれぞれ取付けられ、他端部が前記目地カバー１０の中央部寄りの上面に取付けられた、該目地カバー１０の先端部を上方へ持ち上げる複数個のスプリング１５と、前記目地カバー１０の後端部寄りの部位に取付けられた、該目地カバー１０が水平状態を保持し、先端部が水平状態より上方へ回動するのを阻止するストッパー１６とで構成されている。
【００１６】
上記構成の天井用目地カバー装置は通常時には図１ないし図４に示すように、天井目地部２は固定天井部材７と同一面に位置する目地カバー１０によって覆われている。
【００１７】
地震で目地部２が狭くなるように左右の建物３、３が揺れ動いた場合、図５に示すように固定天井部材７の先端部で目地カバー１０の先端部を押し圧するため、目地カバー１０の先端部は目地カバー支持手段１１の複数個のスプリング１５の付勢力に抗して、固定天井部材７の先端部の傾斜面６に沿って下方へ回動して、その揺れ動きを吸収する。
【００１８】
地震で目地部２が広くなるように左右の建物３、３が揺れ動いた場合、図６に示すように固定天井部材７の先端部が目地カバー１０の先端部より離れて、その揺れ動きを吸収する。
【００１９】
この時、目地カバー１０は目地カバー支持手段１１のストッパー１６によって水平状態を保っている。
このため、地震の揺れ動きが停止すると、目地部が狭くなったり、広くなったりしても、自動的に元の状態に戻る。
【００２０】
[発明を実施するための異なる形態]
次に、図７ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図７ないし図９に示す本発明を実施するための第２の形態において、前記本発明を実施するための第１の形態と主に異なる点は、他方の躯体３ａの天井部位側の外壁躯体９にほぼ水平状態で固定された固定レール１７、１７、この固定レール１７、１７にガイドローラー１８、１８、１８を介して前後方向にスライド移動するスライドレール１９を設け、このスライドレール１９の下端部にヒンジ部材１３を介して目地カバー１０を取付けるとともに、上端部に目地カバー支持手段１１の複数個のアーム１４を取付けた点で、このように構成した天井用目地カバー装置１Ａにしても、前記本発明を実施するための第１の形態と同様な作用効果が得られるとともに、左右の建物３、３が異なる前後方向に地震で揺れ動いたとしても、目地カバー１０がスライドレール１９によって前後方向にスライド移動して、その揺れ動きを吸収することができる。
【００２２】
図１０ないし図１２に示す本発明を実施するための第３の形態において、前記本発明を実施するための第２の形態と主に異なる点は、複数個のアーム１４部にスプリング１５Ａを位置させるとともに、このスプリング１５Ａに接続されたワイヤー２０を、ガイドリング２１を介して目地カバー１０に取付けた目地カバー支持手段１１Ａを用いた点で、このような目地カバー支持手段１１Ａを用いて構成した天井用目地カバー装置１Ｂにしても、前記本発明を実施するための第２の形態と同様な作用効果が得られる。
【００２３】
図１３ないし図１５に示す本発明を実施するための第４の形態において、前記本発明を実施するための第３の形態と主に異なる点は、スプリングの代わりに重り２２をワイヤー２０に取付けた目地カバー支持手段１１Ｂを用いた点で、このような目地カバー支持手段１１Ｂを用いて構成した天井用目地カバー装置１Ｃにしても、前記本発明を実施するための第３の形態と同様な作用効果がられる。
【産業上の利用可能性】
【００２４】
本発明は目地部を介して設けられた左右の建物の天井目地部を覆う天井用目地カバー装置を製造する産業で利用される。
【符号の説明】
【００２５】
１、１Ａ、１Ｂ、１Ｃ：天井用目地カバー装置、
２：目地部、                ３：建物、
４：梁、                    ５：天井躯体、  
６：傾斜面、                ７：固定天井部材、
８：傾斜面、                ９：外壁躯体、
１０：目地カバー、
１１、１１Ａ、          １１Ｂ：目地カバー支持手段、
１２：目地カバー本体、    １３：ヒンジ部材、
１４：アーム、            １５：スプリング、
１６：ストッパー、        １７：固定レール、
１８：ガイドローラー、    １９：スライドレール、
２０：ワイヤー、          ２１：ガイドリング、
２２：重り。
【図１】
2010285815.tif 000003
【図２】
2010285815.tif 000004
【図３】
2010285815.tif 000005
【図４】
2010285815.tif 000006
【図５】
2010285815.tif 000007
【図６】
2010285815.tif 000008
【図７】
2010285815.tif 000009
【図８】
2010285815.tif 000010
【図９】
2010285815.tif 000011
【図１０】
2010285815.tif 000012
【図１１】
2010285815.tif 000013
【図１２】
2010285815.tif 000014
【図１３】
2010285815.tif 000015
【図１４】
2010285815.tif 000016
【図１５】
2010285815.tif 000017